(57)【要約】【課題】首回りだけでなく、身体の他の箇所を冷却するために用いることができ、かつ、その冷却効率の高い身体用冷却具を提供する。高い保温性を実現することができる身体用保温具も提供する。【解決手段】身体用冷却具は、細長形状からなり吸水性材料（１１）を有する冷却部材（１０）と、冷却部材（１０）の端部に設けられた弾性部材（２０）と、を備える。身体の所定の箇所に巻き付けた際に、弾性部材（２０）の弾性力により冷却部材（１０）が当該身体の所定の箇所に押し付けられ、吸水性材料の密度を上げることで冷却効率を高める。
2015025359.tif 000002
【特許請求の範囲】
【請求項１】
身体の所定の箇所に巻き付けて当該箇所を冷却するための身体用冷却具において、
細長形状からなり吸水性材料を有する冷却部材と、
前記冷却部材の端部に設けられた弾性部材と、
を備え、
前記吸水性材料に水分を含ませることで前記吸水性材料が膨張し、前記吸水性材料に含まれた水分が気化する際に奪う熱によって冷却機能を発揮し、
前記身体の所定の箇所に巻き付けた際に、前記弾性部材の弾性力により前記冷却部材が当該身体の所定の箇所に押し付けられ、前記吸水性材料の密度を上げることで冷却効率を高めることを特徴とする身体用冷却具。
【請求項２】
前記吸水性材料を内包する袋部をさらに備え、
前記吸水性材料は吸水性ポリマーであることを特徴とする請求項１に記載の身体用冷却具。
【請求項３】
前記吸水性材料は吸水性生地であることを特徴とする請求項１に記載の身体用冷却具。
【請求項４】
前記弾性部材は幅５ｍｍ以上のバンド形状となっていることを特徴とする請求項１に記載の身体用冷却具。
【請求項５】
前記弾性部材は、前記冷却部材に対して着脱自在となっていることを特徴とする請求項１に記載の身体用冷却具。
【請求項６】
前記弾性部材は、所定の引っ張り力が加わった場合に、前記冷却部材から外れるようになっていることを特徴とする請求項５に記載の身体用冷却具。
【請求項７】
前記弾性部材の前記冷却部材に対する取り付け位置又は前記冷却部材の前記弾性部材に対する取り付け位置を変更できることを特徴とする請求項１に記載の身体用冷却具。
【請求項８】
前記弾性部材の長さ又は前記冷却部材の長さが調整自在となっていることを特徴とする請求項１に記載の身体用冷却具。
【請求項９】
前記冷却部材の端部の一端に第一冷却部材取付部が設けられ、前記冷却部材の端部の他端に第二冷却部材取付部が設けられ、
前記弾性部材の端部の一端に第一弾性取付部が設けられ、前記弾性部材の端部の他端に第二弾性取付部が設けられ、
前記第一冷却部材取付部が前記第一弾性取付部と着脱自在となるとともに前記第二冷却部材取付部が前記第二弾性取付部と着脱自在となり、かつ、前記第一冷却部材取付部が前記第二冷却部材取付部とも着脱自在となることを特徴とする請求項１に記載の身体用冷却具。
【請求項１０】
前記弾性部材と長さの異なる補助用弾性部材をさらに備えたことを特徴とする請求項１に記載の身体用冷却具。
【請求項１１】
前記冷却部材の所定箇所に切り込みが設けられ、当該切り込みによって前記冷却部材の長手方向に直交する方向において前記冷却部材を曲げることができ、
前記冷却部材は、少なくとも人体の首の後側を冷却するとともに、前記人体の耳の上方を通過可能となっていることを特徴とする請求項１に記載の身体用冷却具。
【請求項１２】
前記冷却部材の所定箇所に連結具が設けられ、当該連結具によって前記冷却部材の二つの箇所を連結することで前記冷却部材の長手方向に直交する方向において前記冷却部材を曲げることができ、
前記冷却部材は、少なくとも人体の首の後側を冷却するとともに、前記人体の耳の上方を通過可能となっていることを特徴とする請求項１に記載の身体用冷却具。
【請求項１３】
身体の所定の箇所に巻き付けて当該箇所を冷却するための身体用冷却具において、
細長形状からなり第一吸水性材料を有する第一冷却部材と、
細長形状からなり第二吸水性材料を有する第二冷却部材と、
前記第一冷却部材の両端に着脱自在となり、かつ、前記第二冷却部材の両端にも着脱自在となった弾性部材と、
を備え、
前記第一吸水性材料及び前記第二吸水性材料に水分を含ませることで前記第一吸水性材料及び前記第二吸水性材料の各々が膨張し、前記第一吸水性材料及び前記第二吸水性材料に含まれた水分が気化する際に奪う熱によって冷却機能を発揮し、
前記第一冷却部材の端部は前記第二冷却部材の端部にも着脱自在となり、
前記第一冷却部材の両端に前記弾性部材の両端を取り付けた使用方法、前記第二冷却部材の両端に前記弾性部材の両端を取り付けた使用方法、及び、前記第一冷却部材の一端を前記第二冷却部材の他端に取り付け、前記第一冷却部材の他端を前記弾性部材の他端に取り付け、前記第二冷却部材の一端を前記弾性部材の一端に取り付けた使用方法のいずれかを選択することができ、
前記身体の所定の箇所に巻き付けた際に、前記弾性部材の弾性力により前記第一冷却部材、前記第二冷却部材又は前記第一冷却部材と前記第二冷却部材の両方が当該身体の所定の箇所に押し付けられ、前記吸水性材料の密度を上げることで冷却効率を高めることができることを特徴とする身体用冷却具。
【請求項１４】
前記第一冷却部材の前記第一吸水性材料の密度が前記第一冷却部材の前記一端側で前記他端側よりも高くなり、
前記第二冷却部材の前記第二吸水性材料の密度が前記第二冷却部材の前記他端側で前記一端側よりも高くなり、
前記第一冷却部材の一端を前記第二冷却部材の他端に取り付け、前記第一冷却部材の他端を前記弾性部材の他端に取り付け、前記第二冷却部材の一端を前記弾性部材の一端に取り付けた使用方法において、前記弾性部材と反対側の端部で前記第一冷却部材の前記第一吸水性材料の密度が前記弾性部材側の端部における前記第一冷却部材の前記第一吸水性材料の密度よりも高くなり、かつ、前記弾性部材と反対側の端部で前記第二冷却部材の前記第二吸水性材料の密度が前記弾性部材側の端部における前記第二冷却部材の前記第二吸水性材料の密度よりも高くなることを特徴とする請求項１３に記載の身体用冷却具。
【請求項１５】
身体の所定の箇所に巻き付けて当該箇所を温めるための身体用保温具において、
保温性を有する保温部材と、
前記保温部材の端部に設けられた弾性部材と、
を備え、
前記身体の所定の箇所に巻き付けた際に、前記弾性部材の弾性力により前記保温部材が当該身体の所定の箇所に押し付けられ、前記保温部材の密度を上げることで熱伝導性及び保温効率を高めることを特徴とする身体用保温具。
【発明の詳細な説明】
【技術分野】
【０００１】
本発明は、身体の所定の箇所に巻き付けて当該箇所を冷却するための身体用冷却具及び身体の所定の箇所に巻き付けて当該箇所を温める身体用保温具に関する。
【背景技術】
【０００２】
従来から、身体を冷却するための身体用冷却具が知られている。一例としては、前頭部にあたる位置に設けた前頭部収納ポケットと、前頭部収納ポケットにバンド部で接続し、後頭部にあたる位置に設けた後頭部収納ポケットと、後頭部収納ポケットに連結手段にて連結した頚椎上部にあたる位置に設けた頚椎上部収納ポケットと頚椎上部収納ポケットに連結手段にて連結した頚椎部にあたる位置に設けた頚椎部収納ポケットと頚椎部収納ポケットを首に係止する係止バンドで構成し、各収納ポケットは挿入口を斜めにして、保冷具を収納する頭部用冷却具が開示されている（特開２００８−１０４６９４号公報）。【０００３】
しかしながら、特開２００８−１０４６９４号公報で開示されている冷却具はあくまでも頭部を冷却するためのものであり、その用途が限られていた。また、特開２００８−１０４６９４号公報で開示されている冷却具は保冷具を収納して用いるものであり、予め保冷具を冷却したうえで用いることが想定されており、手軽にいつでも使用できるものではなかった。
【発明の概要】
【発明が解決しようとする課題】
【０００４】
本発明は、このような点を鑑みてなされたものであり、身体のあらゆる箇所を冷却するために用いることができ、かつ、手軽にいつでも使用できる身体用冷却具を提供する。また、本発明は、高い保温性を実現することができる身体用保温具も提供する。
【課題を解決するための手段】
【０００５】
本発明の身体用冷却具による第一の態様は、
身体の所定の箇所に巻き付けて当該箇所を冷却するための身体用冷却具において、
細長形状からなり吸水性材料を有する冷却部材と、
前記冷却部材の端部に設けられた弾性部材と、
を備え、
前記吸水性材料に水分を含ませることで前記吸水性材料が膨張し、前記吸水性材料に含まれた水分が気化する際に奪う熱によって冷却機能を発揮し、
前記身体の所定の箇所に巻き付けた際に、前記弾性部材の弾性力により前記冷却部材が当該身体の所定の箇所に押し付けられ、前記吸水性材料の密度を上げることで冷却効率を高める。【０００６】
本発明の身体用冷却具による第一の態様は、
前記吸水性材料を内包する袋部をさらに備え、
前記吸水性材料は吸水性ポリマーであってもよい。【０００７】
本発明の身体用冷却具による第一の態様において、
前記吸水性材料は吸水性生地であってもよい。【０００８】
本発明の身体用冷却具による第一の態様において、
前記弾性部材は幅５ｍｍ以上のバンド形状となっていてもよい。【０００９】
本発明の身体用冷却具による第一の態様において、
前記弾性部材は、前記冷却部材に対して着脱自在となっていてもよい。【００１０】
本発明の身体用冷却具による第一の態様において、
前記弾性部材は、所定の引っ張り力が加わった場合に、前記冷却部材から外れるようになっていてもよい。【００１１】
本発明の身体用冷却具による第一の態様において、
前記弾性部材の前記冷却部材に対する取り付け位置又は前記冷却部材の前記弾性部材に対する取り付け位置を変更できてもよい。【００１２】
本発明の身体用冷却具による第一の態様において、
前記弾性部材の長さ又は前記冷却部材の長さが調整自在となっていてもよい。【００１３】
本発明の身体用冷却具による第一の態様において、
前記冷却部材の端部の一端に第一冷却部材取付部が設けられ、前記冷却部材の端部の他端に第二冷却部材取付部が設けられ、
前記弾性部材の端部の一端に第一弾性取付部が設けられ、前記弾性部材の端部の他端に第二弾性取付部が設けられ、
前記第一冷却部材取付部が前記第一弾性取付部と着脱自在となるとともに前記第二冷却部材取付部が前記第二弾性取付部と着脱自在となり、かつ、前記第一冷却部材取付部が前記第二冷却部材取付部とも着脱自在となってもよい。【００１４】
本発明の身体用冷却具による第一の態様は、
前記弾性部材と長さの異なる補助用弾性部材をさらに備えてもよい。【００１５】
本発明の身体用冷却具による第一の態様において、
前記冷却部材の所定箇所に切り込みが設けられ、当該切り込みによって前記冷却部材の長手方向に直交する方向において前記冷却部材を曲げることができ、
前記冷却部材は、少なくとも人体の首の後側を冷却するとともに、前記人体の耳の上方を通過可能となっていてもよい。【００１６】
本発明の身体用冷却具による第一の態様において、
前記冷却部材の所定箇所に連結具が設けられ、当該連結具によって前記冷却部材の二つの箇所を連結することで前記冷却部材の長手方向に直交する方向において前記冷却部材を曲げることができ、
前記冷却部材は、少なくとも人体の首の後側を冷却するとともに、前記人体の耳の上方を通過可能となっていてもよい。【００１７】
本発明の身体用冷却具による第二の態様は、
身体の所定の箇所に巻き付けて当該箇所を冷却するための身体用冷却具において、
細長形状からなり第一吸水性材料を有する第一冷却部材と、
細長形状からなり第二吸水性材料を有する第二冷却部材と、
前記第一冷却部材の両端に着脱自在となり、かつ、前記第二冷却部材の両端にも着脱自在となった弾性部材と、
を備え、
前記第一吸水性材料及び前記第二吸水性材料に水分を含ませることで前記第一吸水性材料及び前記第二吸水性材料の各々が膨張し、前記第一吸水性材料及び前記第二吸水性材料に含まれた水分が気化する際に奪う熱によって冷却機能を発揮し、
前記第一冷却部材の端部は前記第二冷却部材の端部にも着脱自在となり、
前記第一冷却部材の両端に前記弾性部材の両端を取り付けた使用方法、前記第二冷却部材の両端に前記弾性部材の両端を取り付けた使用方法、及び、前記第一冷却部材の一端を前記第二冷却部材の他端に取り付け、前記第一冷却部材の他端を前記弾性部材の他端に取り付け、前記第二冷却部材の一端を前記弾性部材の一端に取り付けた使用方法のいずれかを選択することができ、
前記身体の所定の箇所に巻き付けた際に、前記弾性部材の弾性力により前記第一冷却部材、前記第二冷却部材又は前記第一冷却部材と前記第二冷却部材の両方が当該身体の所定の箇所に押し付けられ、前記吸水性材料の密度を上げることで冷却効率を高めることができることを特徴とする身体用冷却具。【００１８】
本発明の身体用冷却具による第二の態様は、
前記第一冷却部材の前記第一吸水性材料の密度が前記第一冷却部材の前記一端側で前記他端側よりも高くなり、
前記第二冷却部材の前記第二吸水性材料の密度が前記第二冷却部材の前記他端側で前記一端側よりも高くなり、
前記第一冷却部材の一端を前記第二冷却部材の他端に取り付け、前記第一冷却部材の他端を前記弾性部材の他端に取り付け、前記第二冷却部材の一端を前記弾性部材の一端に取り付けた使用方法において、前記弾性部材と反対側の端部で前記第一冷却部材の前記第一吸水性材料の密度が前記弾性部材側の端部における前記第一冷却部材の前記第一吸水性材料の密度よりも高くなり、かつ、前記弾性部材と反対側の端部で前記第二冷却部材の前記第二吸水性材料の密度が前記弾性部材側の端部における前記第二冷却部材の前記第二吸水性材料の密度よりも高くなってもよい。【００１９】
本発明の身体用保温具は、
身体の所定の箇所に巻き付けて当該箇所を温めるための身体用保温具において、
保温性を有する保温部材と、
前記保温部材の端部に設けられた弾性部材と、
を備え、
前記身体の所定の箇所に巻き付けた際に、前記弾性部材の弾性力により前記保温部材が当該身体の所定の箇所に押し付けられ、前記保温部材の密度を上げることで熱伝導性及び保温効率を高める。
【発明の効果】
【００２０】
本発明の身体用冷却具は、身体の如何なる箇所でも用いることができる。また、本発明の身体用冷却具では吸水性材料が採用されているので、吸水性材料に水分を含ませるだけでいつでも冷却機能を発揮させることができる。さらに、本発明によれば、身体の所定の箇所に巻き付けた際に、弾性部材の弾性力により冷却部材が当該身体の所定の箇所に押し付けられ、吸水性材料の密度を上げることができる。このため、吸水性材料間に伝わる熱伝導性を高めることができ、その結果、吸水性材料に含まれた水分の気化効率を高めることができ、冷却効率の高い身体用冷却具を提供することができる。また、本発明は、同様の発想から、高い保温性を実現することができる身体用保温具も提供する。
【図面の簡単な説明】
【００２１】
【図１】図１は、本発明の第１の実施の形態による身体用冷却具の一態様を示す概略図である。
【図２】図２は、本発明の第１の実施の形態による身体用冷却具の冷却部材を切断した際の断面を示した概略斜視図である。
【図３】図３は、本発明の第１の実施の形態による身体用冷却具の別の態様を示した概略図である。
【図４】図４は、本発明の第１の実施の形態による身体用冷却具において、弾性部材の長さを調整することができる態様を示した概略図である。
【図５】図５は、本発明の第１の実施の形態による身体用冷却具のさらに別の態様を示した概略図である。
【図６】図６は、本発明の第１の実施の形態による身体用冷却具において、補助用弾性部材をさらに備えた態様を示した概略図である。
【図７】図７は、本発明の第１の実施の形態による身体用冷却具において、袋部を曲げることができる冷却部材の一態様を示した概略図である。
【図８】図８は、本発明の第１の実施の形態による身体用冷却具において、袋部を曲げることができる冷却部材の別の態様を示した概略図である。
【図９】図９は、本発明の第１の実施の形態の変形例による身体用冷却具の一態様を示す概略図である。
【図１０】図１０は、本発明の第１の実施の形態の変形例による身体用冷却具の別の態様を示す概略図である。
【図１１】図１１は、本発明の第１の実施の形態の変形例による身体用冷却具のさらに別の態様を示す概略図である。
【図１２】図１２（ａ）は、本発明の第１の実施の形態で用いられる超微細な吸水性ポリマーを示した写真であり、図１２（ｂ）は、一般的な吸水性ポリマーを示した写真である。
【図１３】図１３は、本発明の第２の実施の形態による身体用冷却具の一態様を示す概略図である。
【図１４】図１４は、本発明の第２の実施の形態による身体用冷却具の別の態様を示した概略図である。
【図１５】図１５は、本発明の第２の実施の形態による身体用冷却具において、曲げることができる冷却部材（吸水性生地）の一態様を示した概略図である。
【図１６】図１６は、本発明の第２の実施の形態による身体用冷却具において、曲げることができる冷却部材（吸水性生地）の別の態様を示した概略図である。
【図１７】図１７は、本発明の第２の実施の形態の変形例による身体用冷却具の一態様を示す概略図である。
【図１８】図１８は、本発明の第２の実施の形態の変形例による身体用冷却具の別の態様を示す概略図である。
【図１９】図１９は、本発明の第２の実施の形態の変形例による身体用冷却具のさらに別の態様を示す概略図である。
【図２０】図２０は、本発明の第３の実施の形態による身体用保温具の一態様を示す概略図である。
【発明を実施するための形態】
【００２２】
第１の実施の形態
《構成》
以下、本発明に係る身体用冷却具の第１の実施の形態について、図面を参照して説明する。ここで、図１乃至図１２は本発明の第１の実施の形態を説明するための図である。
【００２３】
本実施の形態の身体用冷却具は、例えば頭部、腕部、脚部、腰部等の身体の所定の箇所に巻き付けて当該箇所を冷却するためのものである。この身体用冷却具は、図１に示すように、吸水性材料１１（図２参照）と、細長形状からなり吸水性材料１１を内包する袋部１５とを有する冷却部材１０と、袋部１５の端部に設けられた弾性部材２０と、を備えている。そして、冷却部材１０を例えば水に浸すことで、袋部１５から浸透した水分が吸水性材料１１に含まれ、その結果、吸水性材料１１が膨張する。そして、このように吸水材料に含まれた水分が気化することで熱が奪われ、冷却機能を果たすことができるものである。なお、図２は吸水性材料１１が水分を含んで膨張した態様を示している。図１に示すように、袋部１５は長手方向に沿って縫われており（長手方向に沿った縫い目があり）、吸水性材料１１が水分を含んで膨張した際に図２に示されるように略円筒形状になって膨らむようになっている。
【００２４】
また、本実施の形態の身体用冷却具では、身体の所定の箇所に巻き付けた際に、弾性部材２０の弾性力により冷却部材１０が当該身体の所定の箇所に押し付けられ、袋部１５内の吸水性材料１１の密度を上げることで冷却効率を高めることができる。
【００２５】
吸水性材料１１の例としては、吸水性ポリマー、吸水性シート、吸水性生地、吸水性不織布等を挙げることができる。但し、水分を効率よく含んで膨張し、このようにして膨張したものの密度を高めることで冷却するという観点からは、吸水性材料１１は吸水性ポリマーであることが好ましい。
【００２６】
上述したように、水分を効率よく含んで膨張し、このようにして膨張したものの密度を高めることで冷却するという観点からは、吸水性ポリマーでも、図１２（ｂ）に示すように直径が１８００μｍ以上もある一般的な吸水性ポリマーではなく、最大直径が１５０μｍ以下、好ましくは図１２（ａ）に示すように１２０μｍ以下となった超微細な吸水性ポリマー（吸水性材料）１１であることが有益である。
【００２７】
また、吸水性材料１１に対して抗菌処理及び／又は防臭処理の施されていることが好ましい。また、吸水性材料１１として吸水性ポリマーを採用する際には、吸水性ポリマーの各々に対して抗菌処理及び／又は防臭処理が施されていることが好ましい。
【００２８】
また、上述したように、水分を効率よく含んで膨張し、このようにして膨張したものの密度を高めることで冷却するという観点からは、袋部１５は綿で形成されていることが好ましい。このような綿を採用することで、吸水性材料１１に水分を吸収させる際の効率を高めることができ、かつ、このように吸水性材料１１に含まれた水分が蒸発する際の効率も高めることができる。また、袋部１５も抗菌処理及び／又は防臭処理が施されていることが好ましい。なお、袋部１５の材料としては、上述した綿以外にも、ポリエステル、ナイロン、アクリル、麻、レーヨン及びこれらを組み合わせたものを用いることもできる。
【００２９】
なお、袋部１５の材料に綿を採用し、吸水性材料１１として図１２（ａ）に示したような超微細な吸水性ポリマーを採用した場合には、冷却部材１０を水に浸して１〜２分程度で各吸水性ポリマーに水分を含ませることができる。
【００３０】
弾性部材２０の弾性力により冷却部材１０が当該身体の所定の箇所に押し付けられ、袋部１５内の吸水性材料１１の密度を上げることができれば、どのような弾性部材２０も用いることができる。弾性部材２０の例としては、バンド形状のもの、ひも形状のもの等を挙げることができる。但し、冷却部材１０をバランス良く身体の所定の箇所に押し付け、袋部１５内の吸水性材料１１の密度を均等に上げるという観点からは、弾性部材２０はある程度の幅をもっていることが好ましく、例えば幅５ｍｍ以上のバンド形状となっていることが好ましく、幅１０ｍｍ以上のバンド形状となっていることがさらに好ましく、幅２０ｍｍ以上のバンド形状となっていることがさらにより好ましい。
【００３１】
上述した弾性部材２０は、冷却部材１０の袋部１５に対して例えば縫製で固定する態様を採用してもよいが、図１に示すように、冷却部材１０の袋部１５に対して着脱自在となった態様を採用してもよい。なお、弾性部材２０を例えば縫製で固定した場合には、着脱自在となった態様と異なり、弾性部材２０及び冷却部材１０のいずれかを紛失してしまう危険性を低減することができる。
【００３２】
弾性部材２０が冷却部材１０の袋部１５に対して着脱自在となっている場合には、図１に示すように、袋部１５の端部の一端（図１の右側の端部）に第一袋取付部（第一冷却部材取付部）１６が設けられ、袋部１５の端部の他端（図１の左側の端部）に第二袋取付部（第二冷却部材取付部）１７が設けられ、第一袋取付部１６が第二袋取付部１７に対して着脱自在となっていてもよい。
【００３３】
さらに、このように第一袋取付部１６が第二袋取付部１７に対して着脱自在となっている場合には、弾性部材２０の端部の一端（図１の左側の端部）に第一弾性取付部２１が設けられ、弾性部材２０の端部の他端（図１の右側の端部）に第二弾性取付部２２が設けられ、第一袋取付部１６が第一弾性取付部２１と着脱自在となるとともに第二袋取付部１７が第二弾性取付部２２と着脱自在となっている態様を採用することもできる。
【００３４】
上述した第一袋取付部１６及び第二袋取付部１７の一例としては、第一袋取付部１６及び第二袋取付部１７の一方が面ファスナーの雄となり、第一袋取付部１６及び第二袋取付部１７の他方が面ファスナーの雌となっているものを挙げることができる。また、上述した第一弾性取付部２１及び第二弾性取付部２２の一例としては、第一弾性取付部２１及び第二弾性取付部２２の一方が面ファスナーの雄となり、第一弾性取付部２１及び第二弾性取付部２２の他方が面ファスナーの雌となっているものを挙げることがえきる。なお、第一袋取付部１６が第一弾性取付部２１と着脱自在となるとともに第二袋取付部１７が第二弾性取付部２２と着脱自在となるためには、第一袋取付部１６が面ファスナーの雄である場合には、第一弾性取付部２１が面ファスナーの雌であり、第二袋取付部１７が面ファスナーの雌であり、第二弾性取付部２２が面ファスナーの雄となる。他方、第一袋取付部１６が面ファスナーの雌である場合には、第一弾性取付部２１が面ファスナーの雄であり、第二袋取付部１７が面ファスナーの雄であり、第二弾性取付部２２が面ファスナーの雌となる。
【００３５】
図１の第一袋取付部１６、第二袋取付部１７、第一弾性取付部２１及び第二弾性取付部２２の各々が面ファスナーである場合であって、第一袋取付部１６に設けられた面ファスナーが図１の紙面の表側に位置しているときには、第二袋取付部１７に設けられた面ファスナーが図１の紙面の裏側に位置することとなる。また、第一弾性取付部２１に設けられた面ファスナーが図１の紙面の裏側に位置しているときには、第二弾性取付部２２に設けられた面ファスナーが図１の紙面の表側に位置することとなる。そして、第一袋取付部１６に設けられた面ファスナーに第一弾性取付部２１に設けられた面ファスナーを取り付け、かつ、第二袋取付部１７に設けられた面ファスナーに第二弾性取付部２２に設けられた面ファスナーを取り付けることで、冷却部材１０に弾性部材２０を取り付けることができる。
【００３６】
弾性部材２０が冷却部材１０の袋部１５に対して着脱自在となっている場合には、上述した面ファスナーの他にも様々な態様を用いることができ、例えば、クリップ、ボタン、磁石、留め穴及びフック、チャック、バックル等を用いて、弾性部材２０を袋部１５に対して着脱自在とすることができる。より具体的には、弾性部材２０の一端と冷却部材１０の一端をクリップで留めるとともに弾性部材２０の他端と冷却部材１０の他端をクリップで留めることもできる。また、弾性部材２０の一端に設けられたボタンと冷却部材１０の一端に設けられたボタンとを留めるとともに、弾性部材２０の他端に設けられたボタンと冷却部材１０の他端に設けられたボタンとを留めることもできる。また、弾性部材２０の一端に設けられた磁石と冷却部材１０の一端に設けられた磁石とを留めるとともに、弾性部材２０の他端に設けられた磁石と冷却部材１０の他端に設けられた磁石とを留めることもできる。また、弾性部材２０の一端に設けられたフック又は留め穴と冷却部材１０の一端に設けられた留め穴又はフックとを留めるとともに、弾性部材２０の他端に設けられたフック又は留め穴と冷却部材１０の他端に設けられた留め穴又はフックとを留めることもできる。また、弾性部材２０の一端と冷却部材１０の一端とをチャックで留めるとともに、弾性部材２０の他端と冷却部材１０の他端とをチャックで留めることもできる。また、弾性部材２０の一端及び冷却部材１０の一端の一方にバックルを設け当該バックルで他方を挟み込んで留めるとともに、弾性部材２０の他端及び冷却部材１０の他端の一方にバックルを設け当該バックルで他方を挟み込んで留めることもできる。
【００３７】
上述した、面ファスナー、クリップ、ボタン、磁石、留め穴及びフック、チャック並びにバックルの各々が、取付部（第一袋取付部１６、第二袋取付部１７、第一弾性取付部２１、第二弾性取付部２２等）となることができる。また、これら面ファスナー、クリップ、ボタン、磁石、留め穴及びフック、チャック並びにバックルの各々による留め方は適宜組み合わせることができ、例えば、弾性部材２０の一端と冷却部材１０の一端をクリップで留め、弾性部材２０の他端と冷却部材１０の他端をチャックで留めることもできる。
【００３８】
また、弾性部材２０の両端又は一端は、冷却部材１０に対して取り付け位置を変更できるようになっていてもよい。図３に示す態様では、冷却部材１０の袋部１５の一端に複数（より具体的には３つ）の第一袋取付部１６が設けられ、冷却部材１０の袋部１５の他端に複数（より具体的には３つ）の第二袋取付部１７が設けられた態様となっている。そして、弾性部材２０の両端が、冷却部材１０に対して取り付け位置を変更できるようになっている。なお、このような態様のより具体的な例としては、袋部１５の一端及び他端の両端の各々に複数の面ファスナーが設けられている態様、袋部１５の一端及び他端の両端の各々に複数のボタンが設けられている態様、袋部１５の一端及び他端の両端の各々に複数の磁石が設けられている態様等を採用することができる。ちなみに、冷却部材１０の両端又は一端が、弾性部材２０に対して取り付け位置を変更できるようになっていてもよい。つまり、弾性部材２０の両端又は一端に複数の第一弾性取付部２１及び／又は第二弾性取付部２２が設けられ、どの第一弾性取付部２１及び／又は第二弾性取付部２２を冷却部材１０の第一袋取付部１６及び第二袋取付部１７に取り付けるかで、冷却部材１０の両端又は一端が、弾性部材２０に対して取り付け位置を変更できるようになっていてもよい。
【００３９】
また、図４に示すように、弾性部材２０の長さが調整自在となっていてもよい。一例としては、弾性部材２０が長さ調整部２５を有しており、この長さ調整部２５の長さを調整することで、弾性部材２０の長さを調整してやればよい。なお、図４の上側の図面は調整部２５で弾性部材２０の長さを短くした際のものであり、図４の下側の図面は調整部２５で弾性部材２０の長さを長くした際のものである。ちなみに、冷却部材１０の袋部１５に当該袋部１５の長さを調整するための調整部が設けられ、袋部１５の長さを調整することで冷却部材１０の長さが調整自在となっていてもよい。
【００４０】
また、袋部１５の一端及び他端の一方に穴部が設けられており、袋部１５の一端及び他端の他方の端部に弾性部材２０の端部が取り付けられていてもよい。図５に示した態様では、袋部１５の一端に穴部１６ａが設けられており、袋部１５の他端に弾性部材２０の他端が取り付けられている。なお、袋部１５の他端と弾性部材２０の他端とは固着されていてもよいし着脱自在となっていてもよい。図５に示す態様では、弾性部材２０の一端に面ファスナー２１ａが設けられており、弾性部材２０の一端を穴部１６ａに通して折り返すことで、当該面ファスナー２１ａが折り返した先の弾性部材２０の表面２１ｂに取り付けられるようになっていればよい。この態様では、穴部１６ａを通して折り返した後の面ファスナー２１ａの弾性部材２０の表面２１ｂに対する取り付け位置を調整することで、実質的に、弾性部材２０の長さを調整することができる。なお、請求の範囲で記載された「弾性部材の長さが調整自在」という文言は、このような態様も含んでいる。
【００４１】
また、図６に示すように、本実施の形態の身体用冷却具は、弾性部材２０と長さの異なる補助用弾性部材４０をさらに備えていてもよい。この補助用弾性部材４０は、弾性部材２０と長さ以外は同じ構成となっている。そして、弾性部材２０の代わりに補助用弾性部材４０を用いることで、身体の異なる部位に身体用冷却具を用いることができる。その一例としては、弾性部材２０が人体の頭部に巻くためのものであり比較的短い場合には、人体の腰部に巻くための比較的長い補助用弾性部材４０が設けられていてもよいし、人体の腕に巻くための更に短い補助用弾性部材４０が設けられていてもよい。この補助用弾性部材４０は３つ以上設けられていてもよく、頭部、腕部、脚部、腰部等の様々な箇所に合致した長さとなっていればよい。ところで、本願において「身体」とは「人体」のみならず、人間以外の動物の体を含む概念となっている。図６に示すように、この補助用弾性部材４０の端部の一端には第一弾性取付部２１に対応した第一補助用弾性取付部４１が設けられ、補助用弾性部材４０の端部の他端には第二弾性取付部２２に対応した第二補助用弾性取付部４２が設けられている。
【００４２】
また、図７に示すように、本実施の形態の袋部１５の所定箇所に切り込み１８が設けられ、当該切り込み１８によって袋部１５の長手方向に直交する方向において袋部１５を曲げることができるようになっていてもよい。この態様において、冷却部材１０は、少なくとも人体の首の後側を冷却するとともに、人体の耳の上方を通過可能となっていればよい。この態様は、主に、人体の頸部の後ろ側を冷やすために用いられる。なお、左右対称に袋部１５を折り曲げるという観点からは、２つの切り込み１８は、袋部１５の長手方向に直交するとともに袋部１５の中心を通過する面に対して、対称な位置に設けられていることが好ましい。
【００４３】
切り込み１８の代わりに又は切り込み１８に加えて、袋部１５の所定箇所に袋連結具（連結具）１９ａ，１９ｂが設けられ、当該袋連結具１９ａ，１９ｂによって袋部１５の二つの箇所を連結することで袋部１５の長手方向に直交する方向において袋部１５を曲げることができるようになっていてもよい。この態様において、冷却部材１０は、少なくとも人体の首の後側を冷却するとともに、人体の耳の上方を通過可能となっていればよい。この態様も、主に、人体の頸部の後ろ側を冷やすために用いられる。なお、この袋連結具１９ａ，１９ｂは、例えばボタン、磁石、面ファスナー、チャック等であり、袋連結具１９ａを袋連結具１９ｂに連結することによって、袋部１５の長手方向に直交する方向において袋部１５を曲げることができるようになる。また、この態様でも、左右対称に袋部１５を折り曲げるという観点からは、２つの袋連結具１９ａ，１９ｂは、袋部１５の長手方向に直交するとともに袋部１５の中心を通過する面に対して、対称な位置に設けられていることが好ましい。
【００４４】
ところで、取付部（第一袋取付部１６、第二袋取付部１７、第一弾性取付部２１、第二弾性取付部２２等）として面ファスナーを採用した場合には、片手でも簡単に取り外すことができる。また、取付部（第一袋取付部１６、第二袋取付部１７、第一弾性取付部２１、第二弾性取付部２２等）としてクリップを採用した場合には、クリップで挟む箇所を変えることによって、袋部１５に対する弾性部材２０の取付位置を適宜調整することができるし、片手でも簡単に取り外すことができる。また、取付部（第一袋取付部１６、第二袋取付部１７、第一弾性取付部２１、第二弾性取付部２２等）としてボタンを採用した場合には、ボタンでしっかりと取り付けることができる。また、取付部（第一袋取付部１６、第二袋取付部１７、第一弾性取付部２１、第二弾性取付部２２等）として磁石を採用した場合には、磁石同士を近づけるだけで簡単に取り付けることができ、また、片手でも簡単に取り外しが可能となる。また、取付部（第一袋取付部１６、第二袋取付部１７、第一弾性取付部２１、第二弾性取付部２２等）として留め穴及びフックの組み合わせを採用した場合には、片手でも簡単に取り外しが可能となる。また、取付部（第一袋取付部１６、第二袋取付部１７、第一弾性取付部２１、第二弾性取付部２２等）としてチャックを採用した場合には、しっかりと取り付けることができ、またその形状をユニークなものとしてデザイン性に優れたものにすることができる。また、取付部（第一袋取付部１６、第二袋取付部１７、第一弾性取付部２１、第二弾性取付部２２等）としてバックルを採用した場合には、しっかりと取り付けることができる。
【００４５】
《効果》
次に、上述した構成からなる本実施の形態によって達成される効果であって、まだ述べていない効果又はとりわけ重要な効果について説明する。
【００４６】
本実施の形態の身体用冷却具は、身体の如何なる箇所でも用いることができる。また、本実施の形態の身体用冷却具では吸水性材料１１が採用されているので、吸水性材料１１に水分を含ませるだけでいつでも冷却機能を発揮させることができる。
【００４７】
また、本実施の形態によれば、身体の所定の箇所に巻き付けた際に、弾性部材２０の弾性力により冷却部材１０が当該身体の所定の箇所に押し付けられ、袋部１５内の吸水性材料１１の密度を上げることができる。このため、袋部１５内の吸水性材料１１間に伝わる熱伝導性を高めることができ、その結果、吸水性材料１１に含まれた水分の気化効率を高めることができ、冷却効率の高い身体用冷却具を提供することができる。
【００４８】
また、本実施の形態では身体用冷却具が吸水性材料１１を有している。そして、この吸水性材料１１は、袋部１５から浸透した水分を吸収し膨張するものであり、柔らかい感触となっている。このため、弾性部材２０によって締め付けられても、締め付けた部分で違和感を感じにくくなっており、締め付けて袋部１５内の吸水性材料１１の密度を上げることで冷却効率を高めたとしても、ユーザに違和感を持たせないようにすることができる点で有益である。
【００４９】
本実施の形態では、吸水性材料１１が水分を含んで膨張した際に図２に示されるように円筒形状（略円筒形状を含む。）になって膨らむようになっている。より具体的には、図２に示すように、吸水性材料１１が２本の円筒形状（略円筒形状を含む。）となって膨らみ、この２本の円筒形状の吸水性材料１１が身体に当接されることとなる。このように吸水性材料１１が円筒形状となることで、締め付けられても、本実施の形態の身体用冷却具を装着したユーザの感じる違和感を低減することができる。また、１本ではなく複数（本実施の形態では２本）の円筒形状を形成するようにすることで、ユーザと身体用冷却具との接触する面積を増やしつつ、その厚み（袋部１５の長手方向及び短手方向を含む面に直交する方向の厚み）を適度なものにして水分の気化を効率よく起こさせることができ、ひいては高い冷却効率を実現することができる。
【００５０】
本実施の形態において、吸水性材料１１として吸水性ポリマーを採用した場合には、弾性部材２０で締め付けた際に密度をより均一に高めることができ、冷却効率を高めることができる。とりわけ、最大直径が１５０μｍ以下、好ましくは１２０μｍ以下（図１２（ａ）参照）となった超微細な吸水性ポリマー（吸水性材料）１１である場合には、弾性部材２０で締め付けた際に、密度をさらに高めることができることから好ましい。このように吸水性材料１１として吸水性ポリマーを採用した場合には、弾性部材２０で締め付けると、図１２（ａ）で示した吸水性ポリマー１１の各々が凝集して、その密度が高くなる。
【００５１】
また、弾性部材２０がバンド形状、特に幅５ｍｍ以上のバンド形状、さらには幅１０ｍｍ以上のバンド形状、よりさらには幅２０ｍｍ以上のバンド形状となっている場合には、冷却部材１０がバランス良く身体の所定の箇所に押し付け、袋部１５内の吸水性材料１１の密度を均等に上げることができる点で好ましい。
【００５２】
また、弾性部材２０が冷却部材１０の袋部１５に対して着脱自在となっている態様を採用した場合には、冷却部材１０のみで使用することと、冷却部材１０に弾性部材２０を取り付けた態様で使用することとを適宜選択することができる。また、所定の引っ張り力を加えることで、弾性部材２０が冷却部材１０の袋部１５に対して取り外し自在となる態様を採用することもできる。この場合には、所定の引っ張り力が加わったときに、弾性部材２０が冷却部材１０の袋部１５から外されることから、安全性を高めることができる。より具体的は、例えば工場内で本実施の形態による身体用冷却具を用いた場合、工場内の機械に本実施の形態の身体用冷却具に絡まってしまう可能性が「０」とは言えない。このような事態が発生した際に、所定の引っ張り力が加わった場合に弾性部材２０が冷却部材１０の袋部１５から取り外される態様となっていれば、機械に巻き込まれた身体用冷却具の弾性部材２０と冷却部材１０とが自然に外れることから、ユーザが巻き込まれることを防止することができる。なお、このような態様に用いられる取付部（第一袋取付部１６、第二袋取付部１７、第一弾性取付部２１、第二弾性取付部２２等）としては、面ファスナー、磁石等を挙げることができる。
【００５３】
また、弾性部材２０が冷却部材１０の袋部１５に対して着脱自在となっており、かつ、袋部１５の端部の一端に第一袋取付部１６が設けられ、袋部１５の端部の他端に第二袋取付部１７が設けられ、第一袋取付部１６が第二袋取付部１７に対して着脱自在となっている場合には、弾性部材２０で締め付けつつ冷却部材１０を身体の所定の箇所に巻き付けるという使い方の他に、冷却部材１０だけを身体の他の箇所に巻き付けるという使い方もすることができる。このため、本実施の形態の身体用冷却具の使用方法の用途を広げることができ、ユーザの広いニーズに応えることができる。
【００５４】
また、弾性部材２０の両端又は一端が、冷却部材１０に対して取り付け位置を変更できるようになっている態様を採用した場合には（図３参照）、弾性部材２０を巻き付ける際の締め付け度合いを調整したり、ユーザの身体の大きさに合わせて取り付け位置を変更したりすることができ、ユーザの要望に沿うことができる点で有益である。
【００５５】
また、弾性部材２０の長さが調整自在となった態様を採用した場合にも（図４参照）、弾性部材２０を巻き付ける際の締め付け度合いを調整したり、ユーザの身体の大きさに合わせて弾性部材２０の長さを調整したりすることができ、ユーザの要望に沿うことができる点で有益である。
【００５６】
また、弾性部材２０と長さの異なる補助用弾性部材４０をさらに備えた態様を採用した場合には（図６参照）、身体の異なる部位に身体用冷却具を用いることができる。このため、本実施の形態の身体用冷却具の使用方法の用途をさらに広げることができ、ユーザの広いニーズに応えることができる。
【００５７】
本実施の形態の袋部１５の所定箇所に切り込み１８が設けられ、当該切り込み１８によって袋部１５の長手方向に直交する方向において袋部１５を曲げることができる態様を採用した場合には（図７参照）、例えば人体の頭部を冷却するという使用方法の他に、人体の首の後側を冷却するという使用方法を違和感なく採用することができる。つまり、仮に切り込み１８によって袋部１５の長手方向に直交する方向において袋部１５を曲げることができる態様となっていない場合には、人体の首の後側に袋部１５を持ってきた際には、当該袋部１５が耳にかかってしまうことから、どうしてもその位置を耳の上方にずらすことが必要となる（そうしないと耳が塞がれてしまい物音が聞こえなくなる。）。このように袋部１５の位置を耳の上方にずらすと、最も冷やして気持ちいいと人が感じる、頸部の後ろ側を冷やすことができなくなってしまう。この点、切り込み１８によって袋部１５の長手方向に直交する方向において袋部１５を曲げるという態様を採用することで、吸水性材料１１を内包した袋部１５を人体の耳の上方を通過させつつ、最も冷やして気持ちいいと人が感じる襟足の下側に当てることができ、頸部の後ろ側を冷やすことができるようになる。
【００５８】
また、図８に示すように、袋部１５の所定箇所に切り込み１８を設ける代わりに又は袋部１５の所定箇所に切り込み１８を設けるとともに、袋部１５の所定箇所に袋連結具１９ａ，１９ｂを設け、当該袋連結具１９ａ，１９ｂによって袋部１５の二つの箇所を連結することで袋部１５の長手方向に直交する方向において袋部１５を曲げるようにしてもよい。この態様を採用した場合にも、吸水性材料１１を内包した袋部１５を人体の耳の上方を通過させつつ、最も冷やして気持ちいいと人が感じる頸部の後ろ側に当てることができ、頸部の後ろ側を冷やすことができるようになる。
【００５９】
〈変形例〉
上述した態様とは異なり、冷却部材１０が二つ以上設けられていてもよい。一例として、冷却部材１０が二つ設けられている態様を用いて、以下、説明する。なお、この変形例において、上述した実施の形態と同一部分には同一符号を付し、また、対応する部分には「１００」を足した数値又は「２００」を足した数値の番号を付して、詳細な説明は省略する。
【００６０】
この変形例における身体用冷却具は、図９及び図１０に示すように、第一吸水性材料１１１（図２参照）と、細長形状からなり第一吸水性材料１１１を内包する第一袋部１１５とを有する第一冷却部材１１０と、第二吸水性材料２１１（図２参照）と、細長形状からなり第二吸水性材料２１１を内包する第二袋部２１５とを有する第二冷却部材２１０と、第一冷却部材１１０の第一袋部１１５の両端に着脱自在となり、かつ、第二冷却部材２１０の第二袋部２１５の両端にも着脱自在となった弾性部材２０と、を備えている。ちなみに、図９に示すように第一袋部１１５と第二袋部２１５の長さは同じ長さとなっていてもよいが、図１０に示すように第一袋部１１５と第二袋部２１５の長さは異なる長さとなっていてもよい。
【００６１】
そして、第一吸水性材料１１１及び第二吸水性材料２１１に水分を含ませることで第一吸水性材料１１１及び第二吸水性材料２１１の各々が円筒形状に膨張し、第一吸水性材料１１１及び第二吸水性材料２１１に含まれた水分が気化する際に奪う熱によって冷却機能を発揮するようになっている。
【００６２】
なお、第一冷却部材１１０の第一袋部１１５の両端部は第二冷却部材２１０の第二袋部２１５の両端部にも着脱自在となっている。
【００６３】
本変形例によれば、
（１）第一冷却部材１１０の両端の取付部１１６，１１７に弾性部材２０の両端の取付部２１，２２を取り付けた使用方法、
（２）第二冷却部材２１０の両端の取付部２１６，２１７に弾性部材２０の両端の取付部２１，２２を取り付けた使用方法、
（３）第一冷却部材１１０の両端の取付部１１６，１１７に第二冷却部材２１０の両端の取付部２１６，２１７を取り付けた使用方法、及び、
（４）第一冷却部材１１０の一端の取付部１１６を第二冷却部材２１０の他端の取付部２１７に取り付け、第一冷却部材１１０の他端の取付部１１７を弾性部材２０の他端の取付部２２に取り付け、第二冷却部材２１０の一端の取付部２１６を弾性部材２０の一端の取付部２１に取り付けた使用方法（図９及び図１０参照）のいずれかを選択することができるようになっている。
【００６４】
そして、上述した（１）、（２）及び（４）の使用方法では、身体の所定の箇所に巻き付けた際に、弾性部材２０の弾性力により第一冷却部材１１０、第二冷却部材２１０又は第一冷却部材１１０と第二冷却部材２１０の両方が当該身体の所定の箇所に押し付けられる。
【００６５】
より具体的には、（１）第一冷却部材１１０の両端に弾性部材２０の両端を取り付けた使用方法を採用した場合には、身体の所定の箇所に巻き付けた際に弾性部材２０の弾性力により第一冷却部材１１０が当該身体の所定の箇所に押し付けられる。（２）第二冷却部材２１０の両端に弾性部材２０の両端を取り付けた使用方法を採用した場合には、身体の所定の箇所に巻き付けた際に弾性部材２０の弾性力により第二冷却部材２１０が当該身体の所定の箇所に押し付けられる。（４）第一冷却部材１１０の一端の取付部１１６を第二冷却部材２１０の他端の取付部２１７に取り付け、第一冷却部材１１０の他端の取付部１１７を弾性部材２０の他端の取付部２２に取り付け、第二冷却部材２１０の一端の取付部２１６を弾性部材２０の一端の取付部２１に取り付けた使用方法（図９及び図１０参照）を採用した場合には、身体の所定の箇所に巻き付けた際に弾性部材２０の弾性力により第一冷却部材１１０と第二冷却部材２１０の両方が当該身体の所定の箇所に押し付けられる。
【００６６】
そして、このように身体の所定の箇所に巻き付けた際に、弾性部材２０の弾性力により第一冷却部材１１０、第二冷却部材２１０又は第一冷却部材１１０と第二冷却部材２１０の両方が当該身体の所定の箇所に押し付けられることで、袋部１１５，２１５内の吸水性材料１１１，２１１の密度を上げることができ、その結果、冷却効率を高めることができる。
【００６７】
本変形例によれば、上述のように、
（１）第一冷却部材１１０の両端に弾性部材２０の両端を取り付けた使用方法、
（２）第二冷却部材２１０の両端に弾性部材２０の両端を取り付けた使用方法、
（３）第一冷却部材１１０の両端の取付部１１６，１１７に第二冷却部材２１０の両端の取付部２１６，２１７を取り付けた使用方法、及び、
（４）第一冷却部材１１０の一端の取付部１１６を第二冷却部材２１０の他端の取付部２１７に取り付け、第一冷却部材１１０の他端の取付部１１７を弾性部材２０の他端の取付部２２に取り付け、第二冷却部材２１０の一端の取付部２１６を弾性部材２０の一端の取付部２１に取り付けた使用方法（図９及び図１０参照）
という四種類の使用方法を採用することができる。
【００６８】
このため、例えば、（１）第一冷却部材１１０の両端に弾性部材２０の両端を取り付けた使用方法、及び、（２）第二冷却部材２１０の両端に弾性部材２０の両端を取り付けた使用方法を採用した場合には、身体の頭部に巻き付けて使用し、
（４）第一冷却部材１１０の一端の取付部１１６を第二冷却部材２１０の他端の取付部２１７に取り付け、第一冷却部材１１０の他端の取付部１１７を弾性部材２０の他端の取付部２２に取り付け、第二冷却部材２１０の一端の取付部２１６を弾性部材２０の一端の取付部２１に取り付けた使用方法（図９及び図１０参照）を採用した場合には、身体の腰部や腹部に巻き付けて使用することができる。
【００６９】
なお、図１０に示すように第一袋部１１５と第二袋部２１５の長さが異なる長さとなっている場合には、（１）第一冷却部材１１０の両端に弾性部材２０の両端を取り付けた使用方法を採用した場合と、（２）第二冷却部材２１０の両端に弾性部材２０の両端を取り付けた使用方法を採用した場合とで、身体の異なる箇所を冷却することができるので、使用用途をさらに広げることができる点で有益である。
【００７０】
また、この変形例において、第一冷却部材１１０の袋部１１５内に内包された第一吸水性材料１１１の密度及び／又は第二冷却部材２１０の袋部２１５内に内包された第二吸水性材料２１１の密度が均一とはなっておらず偏りがあってもよい。その一例としては、図１１に示すように、第一冷却部材１１０の袋部１１５内に内包された第一吸水性材料１１１の密度が第一冷却部材１１０の一端側で他端側よりも高くなり、第二冷却部材２１０の袋部２１５内に内包された第二吸水性材料２１１の密度が第二冷却部材２１０の他端側で一端側よりも高くなっているものを挙げることができる。なお、図１１に示した態様では、袋部１１５の略中央が短手方向に沿って縫われており（縫い目１１９があり）、第一冷却部材１１０の一端側の第一吸水性材料１１１と第一冷却部材１１０の他端側の第一吸水性材料１１１が混じり合わないようになっている。また同様に、袋部２１５の略中央が短手方向に沿って縫われており（縫い目２１９があり）、第二冷却部材２１０の一端側の第二吸水性材料２１１と第二冷却部材２１０の他端側の第二吸水性材料２１１が混じり合わないようになっている。
【００７１】
このような態様によれば、第一冷却部材１１０の一端の取付部１１６を第二冷却部材２１０の他端の取付部２１７に取り付け、第一冷却部材１１０の他端の取付部１１７を弾性部材２０の他端の取付部２２に取り付け、第二冷却部材２１０の一端の取付部２１６を弾性部材２０の一端の取付部２１に取り付けた使用方法（図９及び図１０参照）において、弾性部材２０と反対側の端部で吸水性材料１１１，２１１の密度を上げることができる。より具体的には、弾性部材２０と反対側の端部（取付部１１６側の端部）で第一冷却部材１１０の第一吸水性材料１１１の密度を弾性部材２０側の端部（取付部１１７側の端部）における第一冷却部材１１０の第一吸水性材料１１１の密度よりも高くし、かつ、弾性部材２０と反対側の端部（取付部２１７側の端部）で第二冷却部材２１０の第二吸水性材料２１１の密度を弾性部材２０側の端部（取付部２１６側の端部）における第二冷却部材２１０の第二吸水性材料２１１の密度よりも高くすることができる。
【００７２】
したがって、このような態様を採用した場合には、（４）第一冷却部材１１０の一端の取付部１１６を第二冷却部材２１０の他端の取付部２１７に取り付け、第一冷却部材１１０の他端の取付部１１７を弾性部材２０の他端の取付部２２に取り付け、第二冷却部材２１０の一端の取付部２１６を弾性部材２０の一端の取付部２１に取り付けた使用方法（図９及び図１０参照）を採用した場合に、冷却したい箇所（例えば腰部等）を重点的に効率よく冷却することができる。
【００７３】
第２の実施の形態
次に、本発明の第２の実施の形態について説明する。
【００７４】
本実施の形態の冷却部材１０は、吸水性生地からなり、袋部１５を有していないものである（図１３参照）。冷却部材１０が吸水性生地からなり、袋部１５を有していないということ以外の構成は、第１の実施の形態と同様のものとなっている。第２の実施の形態において、第１の実施の形態と同一部分には同一符号を付し、また、第１の実施の形態に開示された部分に対応する部分には同様の符号（該当する数字にアポストロフィー「’」）を付して詳細な説明は省略する。
【００７５】
本実施の形態によれば、身体用冷却具を身体の所定の箇所に巻き付けた際に、弾性部材２０の弾性力により、袋部１５を介さずに吸水性生地自身を当該身体の所定の箇所に押し付けることができ、吸水性材料の密度を上げるとともに身体に直接密着させることができる。このため、身体から直接熱を吸収することができ、吸水性生地に含まれた水分の気化効率を高めることができ、冷却効率の高い身体用冷却具を提供することができる。
【００７６】
なお、本実施の形態には、第１の実施の形態で開示された全ての態様において「冷却部材１０」の代わりに（吸水性生地からなる）「冷却部材１０’」を採用した態様が含まれる。詳細には説明しないが、以下のような態様が、本実施の形態には含まれる。なお、以下では「冷却部材１０’」ではなく「吸水性生地１０’」という文言を用いて説明する。
【００７７】
本実施の形態には、図１３に示すように、吸水性生地１０’の端部の一端に第一吸水性生地側取付部１６’が設けられ、吸水性生地１０’の端部の他端に第二吸水性生地側取付部１７’が設けられ、弾性部材２０の端部の一端に第一弾性取付部２１が設けられ、弾性部材２０の端部の他端に第二弾性取付部２２が設けられ、第一吸水性生地側取付部１６’が第一弾性取付部２１と着脱自在となるとともに第二吸水性生地側取付部１７’が第二弾性取付部２２と着脱自在となり、かつ、第一吸水性生地側取付部１６’が第二吸水性生地側取付部１７’とも着脱自在となっている態様が含まれる。
【００７８】
本実施の形態には、弾性部材２０は幅５ｍｍ以上のバンド形状となっている態様が含まれる。本実施の形態には、弾性部材２０が、吸水性生地１０’に対して着脱自在となっている態様が含まれる。本実施の形態には、弾性部材２０の吸水性生地１０’に対する取り付け位置を変更できる態様が含まれる（図１４参照）。本実施の形態には、弾性部材２０の長さが調整自在となっている態様が含まれる（図４参照）。
【００７９】
本実施の形態には、弾性部材２０と長さの異なる補助用弾性部材４０をさらに備える態様が含まれる（図６参照）。
【００８０】
本実施の形態には、図１５に示すように、吸水性生地１０’の所定箇所に切り込み１８が設けられ、当該切り込み１８によって吸水性生地１０’の長手方向に直交する方向において吸水性生地１０’を曲げることができ、吸水性生地１０’は、少なくとも人体の首の後側を冷却するとともに、人体の耳の上方を通過可能となっている態様が含まれる。
【００８１】
また、本実施の形態には、図１６に示すように、吸水性生地１０’の所定箇所に連結具１９ａ’，１９ｂ’が設けられ、当該連結具１９ａ’，１９ｂ’によって吸水性生地１０’の二つの箇所を連結することで吸水性生地１０’の長手方向に直交する方向において吸水性生地１０’を曲げることができ、吸水性生地１０’は、少なくとも人体の首の後側を冷却するとともに、人体の耳の上方を通過可能となっている態様も含まれる。
【００８２】
本実施の形態には、図１７及び図１８に示すように、第一吸水性生地１１０’と、第二吸水性生地２１０’と、第一吸水性生地１１０’の両端に着脱自在となり、かつ、第二吸水性生地２１０’の両端にも着脱自在となった弾性部材２０と、を備え、第一吸水性生地１１０’の両端は第二吸水性生地２１０’の両端にも着脱自在となり、第一吸水性生地１１０’の両端に弾性部材２０の両端を取り付けた使用方法、第二吸水性生地２１０’の両端に弾性部材２０の両端を取り付けた使用方法、第一吸水性生地１１０’の両端に第二吸水性生地２１０’の両端を取り付けた使用方法、及び、第一吸水性生地１１０’の一端を第二吸水性生地２１０’の他端に取り付け、第一吸水性生地１１０’の他端を弾性部材２０の他端に取り付け、第二吸水性生地２１０’の一端を弾性部材２０の一端に取り付けた使用方法のいずれかを選択する態様も含まれる。なお、このような使用方法のうち弾性部材２０を用いた使用方法では、身体の所定の箇所に巻き付けた際に、弾性部材２０の弾性力により第一吸水性生地１１０’、第二吸水性生地２１０’又は第一吸水性生地１１０’と第二吸水性生地２１０’の両方が当該身体の所定の箇所に押し付けられることで冷却効率を高めることができる。
【００８３】
また、この態様には、図１９に示すように、第一吸水性生地１１０’の密度が第一吸水性生地１１０’の一端側で他端側よりも高くなり、第二吸水性生地２１０’の密度が第二吸水性生地２１０’の他端側で一端側よりも高くなり、第一吸水性生地１１０’の一端を第二吸水性生地２１０’の他端に取り付け、第一吸水性生地１１０’の他端を弾性部材２０の他端に取り付け、第二吸水性生地２１０’の一端を弾性部材２０の一端に取り付けた使用方法において、弾性部材２０と反対側の端部で第一吸水性生地１１０’の密度が弾性部材２０側の端部における第一吸水性生地１１０’の密度よりも高くなり、かつ、弾性部材２０と反対側の端部で第二吸水性生地２１０’の密度が弾性部材２０側の端部における第二吸水性生地２１０’の密度よりも高くなっている態様も含まれている。
【００８４】
第３の実施の形態
次に、本発明の第３の実施の形態について説明する。
【００８５】
第３の実施の形態では、図２０に示すような身体の所定の箇所に巻き付けて当該箇所を温めるための身体用保温具を提供することができる。
【００８６】
本実施の形態の身体用保温具は、上述した冷却部材１０の代わりに保温部材９０を用いたものであり、それ以外の構成は、第１の実施の形態と同様のものとなっている。第３の実施の形態において、第１の実施の形態と同一部分には同一符号を付して詳細な説明は省略する。
【００８７】
本実施の形態で用いられる保温部材９０の一例としては、保温材料と、細長形状からなり保温材料を内包する袋部１５とを有するものを挙げることができる。この保温材料の例としては、保温性を有するポリマー、シート等を挙げることができる。この保温材料は、湯煎や電子レンジ等の様々な手段で加熱することで熱を持たせることができる。また、本実施の形態で用いられる保温部材９０の別の例としては、毛布生地からなるものを挙げることができる。
【００８８】
本実施の形態によれば、身体用保温具を身体の所定の箇所に巻き付けた際に、弾性部材２０の弾性力により保温部材９０が当該身体の所定の箇所に押し付けられ、保温部材９０の密度を上げることで熱伝導性及び保温効率を高めることができる。
【００８９】
なお、本実施の形態には、第１の実施の形態で開示された全ての態様において「冷却部材１０」の代わりに「保温部材９０」を採用した態様が含まれる。詳細には説明しないが、以下のような態様が、本実施の形態には含まれる。
【００９０】
本実施の形態には、弾性部材２０は幅５ｍｍ以上のバンド形状となっている態様が含まれる。本実施の形態には、弾性部材２０が、保温部材９０に対して着脱自在となっている態様が含まれる。本実施の形態には、弾性部材２０の保温部材９０に対する取り付け位置を変更できる態様が含まれる。本実施の形態には、弾性部材２０の長さが調整自在となっている態様が含まれる（図４参照）。
【００９１】
本実施の形態には、保温部材９０の端部の一端に第一保温部材側取付部が設けられ、保温部材９０の端部の他端に第二保温部材側取付部が設けられ、弾性部材２０の端部の一端に第一弾性取付部２１が設けられ、弾性部材２０の端部の他端に第二弾性取付部２２が設けられ、第一保温部材側取付部が第一弾性取付部２１と着脱自在となるとともに第二保温部材側取付部が第二弾性取付部２２と着脱自在となり、かつ、第一保温部材側取付部が第二保温部材側取付部とも着脱自在となっている態様が含まれる。
【００９２】
本実施の形態には、弾性部材２０と長さの異なる補助用弾性部材４０をさらに備える態様が含まれる（図６参照）。
【００９３】
本実施の形態には、保温部材９０の所定箇所に切り込み１８が設けられ、当該切り込み１８によって保温部材９０の長手方向に直交する方向において保温部材９０を曲げることができ、保温部材９０は、少なくとも人体の首の後側を保温するとともに、人体の耳の上方を通過可能となっている態様が含まれる。
【００９４】
また、本実施の形態には、保温部材９０の所定箇所に袋連結具１９ａ，１９ｂが設けられ、当該袋連結具１９ａ，１９ｂによって保温部材９０の二つの箇所を連結することで保温部材９０の長手方向に直交する方向において保温部材９０を曲げることができ、保温部材９０は、少なくとも人体の首の後側を保温するとともに、人体の耳の上方を通過可能となっている態様も含まれる。
【００９５】
本実施の形態には、第一保温部材と、第二保温部材と、第一保温部材の両端に着脱自在となり、かつ、第二保温部材の両端にも着脱自在となった弾性部材２０と、を備え、第一保温部材の両端は第二保温部材の両端にも着脱自在となり、第一保温部材の両端に弾性部材２０の両端を取り付けた使用方法、第二保温部材の両端に弾性部材２０の両端を取り付けた使用方法、第一保温部材の両端に第二保温部材の両端を取り付けた使用方法、及び、第一保温部材の一端を第二保温部材の他端に取り付け、第一保温部材の他端を弾性部材２０の他端に取り付け、第二保温部材の一端を弾性部材２０の一端に取り付けた使用方法のいずれかを選択する態様も含まれる。なお、このような使用方法のうち弾性部材２０を用いた使用方法では、身体の所定の箇所に巻き付けた際に、弾性部材２０の弾性力により第一保温部材、第二保温部材又は第一保温部材と第二保温部材の両方が当該身体の所定の箇所に押し付けられることで熱伝導性及び保温効率を高めることができる。
【００９６】
また、この態様には、第一保温部材の密度が第一保温部材の一端側で他端側よりも高くなり、第二保温部材の密度が第二保温部材の他端側で一端側よりも高くなり、第一保温部材の一端を第二保温部材の他端に取り付け、第一保温部材の他端を弾性部材２０の他端に取り付け、第二保温部材の一端を弾性部材２０の一端に取り付けた使用方法において、弾性部材２０と反対側の端部で第一保温部材の密度が弾性部材２０側の端部における第一保温部材の密度よりも高くなり、かつ、弾性部材２０と反対側の端部で第二保温部材の密度が弾性部材２０側の端部における第二保温部材の密度よりも高くなっている態様も含まれている。
【００９７】
最後になったが、上述した各実施の形態の記載、変形例及び図面の開示は、請求の範囲に記載された発明を説明するための一例に過ぎず、上述した実施の形態の記載又は図面の開示によって請求の範囲に記載された発明が限定されることはない。
【符号の説明】
【００９８】
１０        冷却部材
１１        吸水性材料
１５        袋部
１６        第一袋取付部（第一冷却部材取付部）
１７        第二袋取付部（第二冷却部材取付部）
１８        切り込み
１９ａ，１９ｂ  袋連結具（連結具）
１９ａ’，１９ｂ’  連結具
２１        第一弾性取付部
２２        第二弾性取付部
２５        調整部
４０        補助用弾性部材
４１        第一補助用弾性取付部
４２        第二補助用弾性取付部
９０        保温部材
１１０      第一冷却部材
１１１      第一吸水性材料
１１５      第一袋部
１１６      第一冷却部材の一端の取付部
１１７      第一冷却部材の他端の取付部
２１０      第二冷却部材
２１１      第二吸水性材料
２１５      第二袋部
２１６      第二冷却部材の一端の取付部
２１７      第二冷却部材の他端の取付部
【図１】
2015025359.tif 000003
【図２】
2015025359.tif 000004
【図３】
2015025359.tif 000005
【図４】
2015025359.tif 000006
【図５】
2015025359.tif 000007
【図６】
2015025359.tif 000008
【図７】
2015025359.tif 000009
【図８】
2015025359.tif 000010
【図９】
2015025359.tif 000011
【図１０】
2015025359.tif 000012
【図１１】
2015025359.tif 000013
【図１３】
2015025359.tif 000014
【図１４】
2015025359.tif 000015
【図１５】
2015025359.tif 000016
【図１６】
2015025359.tif 000017
【図１７】
2015025359.tif 000018
【図１８】
2015025359.tif 000019
【図１９】
2015025359.tif 000020
【図２０】
2015025359.tif 000021
【図１２】
2015025359.tif 000022
【国際調査報告】
2015025359.tif 000023
2015025359.tif 000024
2015025359.tif 000025
2015025359.tif 000026